(57)【要約】【課題】のぼり旗のチチ輪に竿や横棒を通す作業をより簡便で効率よく行うことができる、のぼり旗の折り畳み方法を提供する。【解決手段】本発明は、旗部と旗部の端部に該端部から外方に延びて適当な間隔で取り付けられた複数個のチチ輪とからなるのぼり旗の折り畳み方法に関し、のぼり旗を折り畳む際に、のぼり旗の竿を通す全てのチチ輪を旗部の端部から外方に張り出した状態で、チチ輪を竿に通す順番に並べ、かつこの状態で竿をのぼり旗のチチ輪に通す挿入方向とチチ輪を同一方向でかつほぼ同一線上に相互に重なることなく配列するように折り畳むことを特徴とする。【選択図】図８
2013182177.tif 000002
【特許請求の範囲】
【請求項１】
旗部と旗部の端部に該端部から外方に延びて適当な間隔で取り付けられた複数個のチチ輪とからなるのぼり旗の折り畳み方法に関し、のぼり旗を折り畳む際に、のぼり旗の竿を通す全てのチチ輪を旗部の端部から外方に張り出した状態で、チチ輪を竿に通す順番に並べ、かつこの状態で竿をのぼり旗のチチ輪に通す挿入方向とチチ輪を同一方向でかつほぼ同一線上に相互に重なることなく配列するように折り畳むことを特徴とする、のぼり旗の折り畳み方法。
【請求項２】
のぼり旗の横棒を通す全てのチチ輪を旗部の端部から外方に張り出した状態で、チチ輪を横棒に通す順番に並べ、かつこの状態で横棒をのぼり旗のチチ輪に通す挿入方向とチチ輪を同一方向でかつほぼ同一線上に相互に重なることなく配列するように折り畳むことを特徴とする、請求項１に記載したのぼり旗の折り畳み方法。
【請求項３】
竿を通す一番端の第1のチチ輪の近傍に第2のチチ輪が来るように旗部をその端部とほぼ平行に折り畳み、第2のチチ輪の近傍に第3のチチ輪が来るように旗部をその端部とほぼ平行に折り畳み、順次このように旗部を平行に折り畳むことを特徴とする、請求項１または２に記載したのぼり旗の折り畳み方法。
【請求項４】
請求項３の折り畳み操作後に、横棒を通す一番端の第1のチチ輪の近傍に第2のチチ輪が来るようにその端部とほぼ平行に旗部を折り畳み、第2のチチ輪の近傍に第3のチチ輪が来るようにその端部とほぼ平行に旗部を折り畳み、順次このように折り畳むことを特徴とする、請求項３に記載したのぼり旗の折り畳み方法。
【請求項５】
竿を通す順番と挿入方向とに並べられた全てのチチ輪に、チチ輪内部に挿入できる外径と竿の外径より大きい内径を有し、並べられたチチ輪全体の長さより長い筒状体を、筒状体の両端が最外端の両チチ輪から外側に出るようにチチ輪に挿入することを特徴とする、請求項１乃至４のいずれかに記載したのぼり旗の折り畳み方法。
【請求項６】
横棒を通す順番と挿入方向とに並べられた全てのチチ輪に、チチ輪内部に挿入できる外径と横棒の外径より大きい内径を有し、並べられたチチ輪全体の長さより長い筒状体を、筒状体の両端が最外端の両チチ輪から外側に出るようにチチ輪に挿入することを特徴とする、請求項１乃至５のいずれかに記載したのぼり旗の折り畳み方法。
【請求項７】
チチ輪内部に挿入する筒状体は、プラスチック類、紙類、布類から成り、適度な強度と、概ねの形状を維持できる材質からなることを特徴とする、請求項５または６のいずれかに記載したのぼり旗の折り畳み方法。
【請求項８】
チチ輪内部に挿入された筒状体とチチ輪はシールや接着剤等で仮固定されていることを特徴とする、請求項５乃至７のいずれかに記載したのぼり旗の折り畳み方法。
【請求項９】
請求項１乃至８のいずれかに記載したのぼり旗の折り畳み方法によって得られた折り畳んだのぼり旗。
【請求項１０】
請求項９の折り畳んだのぼり旗を、開閉自在のコの字型に成形したボール紙収納具に、竿を通すチチ輪がコの字型の背部から離間した開口部に位置させた状態で収納し、収納具の該開口部の端面が折り曲げ可能とした折り曲げ部とされ、該折り曲げ部を折り曲げることによって、折り畳んだのぼり旗の竿を通すチチ輪が外部に露出することを特徴とする、折り畳んだのぼり旗の収納方法。
【発明の詳細な説明】
【技術分野】
【０００１】
本発明は、広告、お祭り、イベント、選挙運動等で使用されるのぼり旗の折り畳み方法、折り畳んだのぼり旗及びその包装方法に関し、より詳しくはのぼり旗のチチ輪に竿や横棒を容易かつ効率的に通すことを可能とするのぼり旗の折り畳み方法、折り畳んだのぼり旗及びその包装方法に関する。
【背景技術】
【０００２】
のぼり旗には、その端部に竿（支柱）や横棒に取り付けるためチチ輪が旗端部から張り出した状態で縫い付けられている。チチ輪は、竿の太さやチチ輪の材料等にもよるが、所定の長さだけ旗端から外方に延び、チチ輪はのぼり旗の上部から下部に延びる端部と、上部の左右に延びる端部に適当な間隔でのぼり旗の寸法に応じて複数個取り付けられている。
【０００３】
のぼり旗の包装は、使用前は適当な大きさに畳まれ包装箱に収納されて持ち運ぶが、畳まれたのぼり旗のチチ輪の位置については特に留意されることなく、通常畳まれたのぼり旗の内部に位置したり潰れたりしている為、チチ輪に竿や横棒を通す作業をする場合、この包装箱からのぼり旗を取り出し、広げてチチ輪の位置と挿入順序を確かめ、チチ輪に竿や横棒を通す必要があった。
【０００４】
また、チチ輪に竿や横棒を通す作業は、のぼり旗を包装箱から取り出し、広げて行うため、広い場所と時間が掛かる非効率な作業であった。のぼり旗は、例えば街頭での広告、お祭り、イベント、選挙運動等で使用される事が多く、その際に、のぼり旗は一度に多数使用される事も少なくない。さらに、のぼり旗の組み立て作業は、野外で行われる事が多く、猛暑、強風，雨天等の悪天候の場合や、時間的制約がある時等は、多くの作業者を必要としたり、作業者に多くの労力を強いる場合があった。
【０００５】
一方、のぼり旗のチチ輪を竿に通す作業をより簡便で効率的に行う為に、のぼり旗の端部に装着するのぼり竿用キャップが提案されているが（特許文献１）、のぼり旗のチチ輪を竿に通す作業をより簡便で効率的に行う為にのぼり旗自体の畳み方や包装方法については特に有効な提案はなかった。
このようなことから、のぼり旗のチチ輪に竿や横棒を通す作業を簡便で効率良く行えることができて、しかも安価な折り畳み方、包装方法が望まれていた。
【先行技術文献】
【特許文献】
【０００６】
【特許文献１】実用新案第３１３１７７１号
【発明の概要】
【発明が解決しようとする課題】
【０００７】
本発明は、のぼり旗のチチ輪に竿や横棒を通す作業を、より簡便で効率良くおこなうことができる、のぼり旗の折り畳み方法、折り畳んだのぼり旗及びその包装方法を提供することにある。
【課題を解決するための手段】
【０００８】
（１）本発明は、旗部と旗部の端部に該端部から外方に延びて適当な間隔で取り付けられた複数個のチチ輪とからなるのぼり旗の折り畳み方法に関し、のぼり旗を折り畳む際に、のぼり旗の竿を通す全てのチチ輪を旗部の端部から外方に張り出した状態で、チチ輪を竿に通す順番に並べ、かつこの状態で竿をのぼり旗のチチ輪に通す挿入方向とチチ輪を同一方向でかつほぼ同一線上に相互に重なることなく配列するように折り畳むことを特徴とする、のぼり旗の折り畳み方法。
【０００９】
以下に、本発明に係るのぼり旗の折り畳み方法の好ましい態様を挙げる。
（２）のぼり旗の横棒を通す全てのチチ輪を旗部の端部から外方に張り出した状態で、チチ輪を横棒に通す順番に並べ、かつこの状態で横軸をのぼり旗のチチ輪に通す挿入方向とチチ輪を同一方向でかつほぼ同一線上に相互に重なることなく配列するように折り畳むことを特徴とする、（１）に記載したのぼり旗の折り畳み方法。
（３）竿を通す一番端の第1のチチ輪の近傍に第2のチチ輪が来るように旗部をその端部とほぼ平行に折り畳み、第2のチチ輪の近傍に第3のチチ輪が来るように旗部をその端部とほぼ平行に折り畳み、順次このように旗部を平行に折り畳むことを特徴とする、（１）または（２）に記載したのぼり旗の折り畳み方法。この場合、第1のチチ輪は横棒を通すチチ輪を有する旗部の端部に近接したものとすることが好ましい。
【００１０】
（４）上記（３）の折り畳み操作後に、横棒を通す一番端の第1のチチ輪の近傍に第2のチチ輪が来るようにその端部とほぼ平行に旗部を折り畳み、第2のチチ輪の近傍に第3のチチ輪が来るようにその端部とほぼ平行に旗部を折り畳み、順次このように折り畳むことを特徴とする、（３）に記載したのぼり旗の折り畳み方法。
（５）竿を通す順番と挿入方向とに並べられた全てのチチ輪に、チチ輪内部に挿入できる外径と竿の外径より大きい内径を有し、並べられたチチ輪全体の長さより長い筒状体を、筒状体の両端が最外端の両チチ輪から外側に出るようにチチ輪に挿入することを特徴とする、（１）乃至（４）のいずれかに記載したのぼり旗の折り畳み方法。
（６）横棒を通す順番と挿入方向とに並べられた全てのチチ輪に、チチ輪内部に挿入できる外径と横棒の外径より大きい内径を有し、並べられたチチ輪全体の長さより長い筒状体を、筒状体の両端が最外端の両チチ輪から外側に出るようにチチ輪に挿入することを特徴とする、（１）乃至（５）のいずれかに記載したのぼり旗の折り畳み方法。
【００１１】
（７）チチ輪内部に挿入する筒状体は、プラスチック類、紙類、布類から成り、適度な強度と、概ねの形状を維持できる材質からなることを特徴とする、（５）または（６）のいずれかに記載したのぼり旗の折り畳み方法。
（８）チチ輪内部に挿入された筒状体とチチ輪はシールや接着剤等で仮固定されていることを特徴とする、（５）乃至（７）のいずれかに記載したのぼり旗の折り畳み方法。
（９）本発明は、さらに上記（１）乃至（８）のいずれかに記載したのぼり旗の折り畳み方法によって得られた折り畳んだのぼり旗に関する。
（１０）さらに、本発明は、上記（９）の折り畳んだのぼり旗を、開閉自在のコの字型に成形したボール紙収納具に、竿を通すチチ輪がコの字型の背部から離間した開口部に位置させた状態で収納し、収納具の該開口部の端面を折り曲げ可能とした折り曲げ部とされ、該折り曲げ部を折り曲げることによって、折り畳んだのぼり旗の竿を通すチチ輪が外部に露出することを特徴とする、折り畳んだのぼり旗の収納方法に関する。
【発明の効果】
【００１２】
上記（１）ののぼり旗の折り畳み方法によれば、折り畳んだのぼり旗のチチ輪が竿を通す順番で挿入方向にほぼ同一線上に相互に重なることなく配列されているので、のぼり旗を折り畳んだ状態で竿の先端部を順番通りチチ輪に通す作業を、簡便に効率よく行うことができ、そのまま竿に沿ってのぼり旗を容易に広げることができる。これにより作業時間の大幅な短縮と作業者への労力負担を減らす事ができ、のぼり旗を広げて作業する事が必要ないため、広い場所や天候に左右される屋外での作業を必要としない。上記（２）についても同様の効果が得られる。
上記（３）、（４）ののぼり旗の折り畳み方法によれば、整然ときれいにのぼり旗を折り畳み、またチチ輪に通した竿と横棒にそって旗部を整然と広げることができる。
上記（５）、（６）によれば、竿あるいは横棒を通す順番と挿入方向とに並べられた全てのチチ輪が筒状体で位置決め保持されるとともに、筒状体の内部に竿あるいは横棒の先端部を適当な位置まで通すことで、筒状体に保持されているチチ輪も同時に竿や横棒を通すことになり、筒状体を引き抜くことでのぼり旗のチチ輪に竿や横棒を通す作業を、簡便に効率よく行うことができる。
【００１３】
上記（１０）ののぼり旗収納方法によれば、コの字型に成形したボール紙収納具を開いて折り畳んだのぼり旗を置いた後コの字型にして容易に収納することができる。さらに、コの字形に成形されたボール紙等に収納されている為、従来の箱に比べ少ない材料と箱の加工が省け、安価であり、かつ取り扱い説明書や宣伝文等を両面に印刷する事が可能である。また、ポリ袋等に折り畳んだのぼり旗を収納してからボール紙収納具に収納する場合でも、折り畳んだのぼり旗をポリ袋等から容易に取り出せる。
また、該折り曲げ部を折り曲げて、折り畳んだのぼり旗の竿を通すチチ輪を外部に露出することによって、折り畳んだのぼり旗を収納具から取出すことなく、折り畳んだのぼり旗を折り曲げ部で抑えつつ竿の先端部をチチ輪に通す作業を、簡便に効率よく行うことができる。折り曲げ部の幅はチチ輪の長さとほぼ同一とすることが好ましく、収納具の幅は折り畳んだのぼり旗の幅とほぼ等しくすることが好ましい。
なお、折り畳んだのぼり旗を包装ポリ袋等に、竿を通すチチ輪をその開口部に位置するように、収納する場合には、保存・移送の操作性が良く、またその開口部を開らき収納具の折り曲げ部を折り曲げることにより、竿を通すチチ輪を外部に露出することができるので、ポリ袋から収納具を取り出すことなく、チチ輪に竿を簡便で効率良く通すことができる。
【図面の簡単な説明】
【００１４】
【図１】のぼり旗を広げた状態を示す斜視図である。
【図２】竿を通す最外側の第１のチチ輪近傍に第２のチチ輪が重なることなく近接位置するように旗部を折り畳んだ状態を示すのぼり旗の斜視図である。
【図３】竿を通す第２のチチ輪近傍に第３のチチ輪が重なることなく近接位置するように旗部を折り畳んだ状態を示すのぼり旗の斜視図である。
【図４】竿を通すチチ輪を相互に重なることなくほぼ一直線上に近接位置するように旗部を折り畳んだ状態を示すのぼり旗の斜視図である。
【図５】図４に示す折り畳んだのぼり旗において、横棒を通す最外側の第１のチチ輪近傍に第２のチチ輪が重なることなく近接位置するように旗部を同時に平行に折り畳んだ状態を示すのぼり旗の斜視図である。
【図６】図５に示す折り畳んだのぼり旗において、横棒を通す第３のチチ輪近傍に第２のチチ輪が重なることなく近接位置するように旗部を同時に平行に折り畳んだ状態を示すのぼり旗の斜視図である。
【図７】（ａ）は図６に示す折り畳んだのぼり旗の竿用チチ輪内部及び横棒用チチ輪内部に筒状体をそれぞれ挿通させる前の図であり、（ｂ）は竿用チチ輪内部及び横棒用チチ輪内部に筒状体をそれぞれ挿通させた斜視図である。
【図８】上記に畳まれたのぼり旗（図７（ｂ））を収納するコの字型に形成されるボール紙収納具８を示し、図８（ａ）は展開した図であり、図8（ｂ）はコの字型に折り曲げ形成した収納具８を示す。
【図９】折り畳んでチチ輪に筒状体を挿通したのぼり旗を、コの字型収納具８に入れ、のぼり旗を収納した収納具８をポリ袋１３に収納する工程を模式的に示す。
【図１０】（ａ）は折り畳んだのぼり旗を収納したコの字型収納具を入れたポリ袋の開放部を開き、筒状体を通した竿用チチ輪を露出させた状態を示す斜視図であり、（ｂ）は竿と横棒をそれぞれ筒状体に挿通した斜視図である。
【図１１】全ての竿用チチ輪に竿の先端部を通し、全ての横棒用チチ輪に竿の先端部を通した状態を示す。
【図１２】折り畳んだのぼり旗を竿と横棒に沿って広げた状態を示す。
【発明を実施するための形態】
【００１５】
以下、本発明ののぼり旗の折り畳み方法。折り畳み旗の収納方法を具体的実施形態に基づいて、図面を参照して説明するが、本発明はこれらに限定されるものではなく、特許請求の範囲で種々の変更ができることは当業者には明らかである。
【００１６】
図１はのぼり旗を広げた状態を示す斜視図であり、１は旗部、２−１〜２−５は旗部の縦方向端部に取り付けた竿を通すチチ輪、３−１〜３−３は旗部の横方向端部に取り付けた横棒を通すチチ輪である。本のぼり旗では、説明を簡単にする為、縦方向のチチ輪の数を５とし、横方向のチチ輪の数を３としたが、これらのものは例示であって、それらの数はのぼり旗の寸法に応じてさらに増やす。なお、チチ輪は旗部に接着剤あるいは縫い付けることによって取付ける。
【００１７】
図２は、竿を通す最外側の第１のチチ輪近傍に第２のチチ輪が重なることなく同一挿入方向に並列に近接位置するように旗部を同時に平行に折り畳んだ状態を示すのぼり旗の斜視図であり、図３は竿を通す第２のチチ輪近傍に第３のチチ輪を重なることなく同一挿入方向に並列に近接位置するように旗部を同時に平行に折り畳んだ状態を示すのぼり旗の斜視図である。
【００１８】
図４は竿を通すチチ輪２−１，２−２，２−３，２−４，２−５を相互に重なることなくほぼ一直線上に同一挿入方向に並列に近接位置するように旗部を平行に折り畳んだ状態を示すのぼり旗の斜視図である。これにより、竿を通すチチ輪の全てが竿を通す順番に並べられる。
なお、本発明に係るのぼり旗の折り畳み方法には、竿を通す第２のチチ輪近傍に第３のチチ輪を重なることなく同一挿入方向に近接位置するように旗部を同時に平行に折り畳んだ後、第１のチチ輪近傍に第２のチチ輪が重なることなく同一挿入方向に近接位置するように旗部を同時に平行に折り畳む場合等も含み、結果として図４に示す状態になる折り畳み方を全て含むものとする。
【００１９】
図５は横棒を通す最外側の第１のチチ輪３−１近傍に第２のチチ輪３−２が重なることなく同一挿入方向に並列に近接位置するように旗部を同時に平行に折り畳んだ状態を示すのぼり旗の斜視図であり、図６は横棒を通すチチ輪３−１．３−２．３−３を相互に重なることなくほぼ一直線上に同一挿入方向に並列に近接位置するように旗部を平行に折り畳んだ状態を示すのぼり旗の斜視図である。これにより、竿を通すチチ輪の全てが竿を通す順番に並べられる。
なお、本発明に係るのぼり旗の折り畳み方法には、横棒を通す第２のチチ輪近傍に第３のチチ輪を重なることなく同一挿入方向に近接位置するように旗部を同時に平行に折り畳んだ後、第１のチチ輪近傍に第２のチチ輪が重なることなく同一挿入方向に近接位置するように旗部を同時に平行に折り畳む場合等も含み、結果として図６に示す状態になる折り畳み方も含むものとする。
【００２０】
図７（ａ）は図６に示すように折り畳んで並べたのぼり旗の竿用チチ輪２−１〜２−５内部及び横棒用チチ輪３−１〜３−３内部にそれぞれ筒状体４，５を挿通させる前の図であり、図7（ｂ）は竿用チチ輪２−１〜２−５内部及び横棒用チチ輪３−１〜３−３内部に筒状体４，５をそれぞれ挿通させた斜視図である。筒状体４，５は竿の外径より若干大きい内径を有し、チチ輪の内径より若干小さい外径を有し、筒状体は並べたチチ輪にスムーズに挿通でき、また竿はスムーズに筒状体に挿通出来るようになっている。筒状体４、５はそれぞれ近接位置させた竿用チチ輪２−１〜２−５及び横棒用チチ輪３−１〜３−３の合計の長さより長くして、筒状体４、５を並べたチチ輪２−１〜２−５とチチ輪３−１〜３−３にそれぞれ挿通した場合に筒状体の両端部は最外端のチチ輪の外側にでるようになっている。筒状体４，５は適度な強度と概ねの形状を維持できる紙類やプラスチック類、布類から形成する。図７（ｂ）に示すように、挿入した筒状体４，５とチチ輪はそれぞれシール６，７や接着剤等で仮固定させる。
【００２１】
図８は上記に畳まれたのぼり旗（図７（ｂ））を収納するコの字型に形成されるボール紙収納具８を示し、図８（ａ）は展開した図であり、図８（ｂ）はコの字型に折り曲げ形成した収納具８を示す。折り畳んだのぼり旗を収納具８に収納する場合に、竿を通すチチ輪をボール紙収納具８の背部９に対向する開口部１０の側に位置させる。開口部１０の端部に折り目１１が設けられ、折り目１１に沿って折り曲げ可能な折り曲げ部１２が形成されている。開口部１０からの折り曲げ部１２の幅は、チチ輪の旗の端部から張り出した長さと同じ寸法となっている。
【００２２】
図９は、折り畳んでチチ輪に筒状体を挿通したのぼり旗を、コの字型収納具８に入れ、のぼり旗を収納した収納具８をポリ袋１３に収納する工程を模式的に示す。図９に示すように、折り畳んだのぼり旗を、コの字型に成形したボール紙収納具に、竿を通すチチ輪２−１〜２−５がコの字型の背部９から離間した開口部１０に位置する状態で収納し、折り畳んだのぼり旗を収納したコの字型の収納具８をポリ袋１３に収納し、図示しないがポリ袋１３の開口部を適当な手段で止める。
【００２３】
次に、本発明によりポリ袋に包装されたのぼり旗を実際に使用する方法を説明する。
図１０（ａ）は、折り畳んだのぼり旗を収納したコの字型収納具８を入れたポリ袋１３の開放部を開き、折り曲げ部１２を上方に折り曲げ、収納具８に挟まれ筒状体４を通した竿用チチ輪２−１〜２−５を露出させた状態を示す斜視図である。竿のチチ輪が位置する方向に対して90度の方向に横棒を通すチチ輪３−１〜３−３とチチ輪３−１〜３−３に通された筒状体５が位置している。図１０（ｂ）において、竿１４の先端部を筒状体４の穴に挿通し、竿１４を適当な位置で止める。また横棒１５をポリ袋の底に設けた孔（図示せず）から筒状体５の穴に挿通する。これにより竿１４を通す全てのチチ輪２−１〜２−５に竿１４の先端部を通し終わり、横棒１５を通す全てのチチ輪３−１〜３−３に横棒１５の先端部を通し終わる。竿１４の先端部に近い場所に、横棒１５を通す穴１６を竿１４の直角方向に設けており、これに横棒１５を通し、固定キャップ１７で固定する（図１１）。
以上により竿１４と横棒１５のチチ輪２−１〜２−５及び３−１〜３−３の全てにそれぞれ竿１４の先端部と横棒１５の先端部が通される。のぼり旗を展示する場合は、包装のポリ袋１３とボール紙収容具８をのぼり旗から引き取り（図１１）、竿１４や横棒１５についている筒状体４，５を取り除いて、のぼり旗を竿１４と横棒１５に沿って広げることによって全ての作業が完了する（図１２）。
【符号の説明】
【００２４】
１・・・旗部、２−１〜２−５・・・竿を通すチチ輪、３−１〜３−３・・・
横棒を通すチチ輪、４，５・・・筒状体、６，７・・・シール、８・・・コの字型収納具、９・・・背部、１０・・・開口部、１１・・・折り目、１２・・・折り曲げ部、１３・・・ポリ袋、１４・・・竿、１５・・・横棒、１６横棒用穴、１７・・・固定キャップ
【図１】
2013182177.tif 000003
【図２】
2013182177.tif 000004
【図３】
2013182177.tif 000005
【図４】
2013182177.tif 000006
【図５】
2013182177.tif 000007
【図６】
2013182177.tif 000008
【図７】
2013182177.tif 000009
【図８】
2013182177.tif 000010
【図９】
2013182177.tif 000011
【図１０】
2013182177.tif 000012
【図１１】
2013182177.tif 000013
【図１２】
2013182177.tif 000014